(57)【要約】【解決手段】２枚のスキッドＳを溶着することにより製造される合成樹脂製パレットＰにおいて、一方のスキッドにカード保持部Ｈを形成するとともに、前記カード保持部を、奥壁１ａ１と該奥壁に垂直な相対する側面１ａ２とからなるカード装着凹部１ａと、前記スキッドの溶着面ｓ２付近に位置する前記奥壁に形成されたカード係止部２と、デッキ面ｐ４付近に位置する前記奥壁に形成されたカード係止部２と、前記カード保持部に取り付けられるカードＣに穿設された透孔ｃ４が挿入される、前記奥壁に突設された嵌合突起３とにより構成したものである。【効果】カードのカード保持部からの離脱を、確実に防止することができる。【選択図】図７
2012006619.tif 000002
【特許請求の範囲】
【請求項１】
２枚のスキッドを溶着することにより製造される合成樹脂製パレットにおいて、一方のスキッドに、カード保持部が形成されているとともに、前記カード保持部が、奥壁と該奥壁に垂直な相対する側面とからなるカード装着凹部と、前記スキッドの溶着面付近に位置する前記奥壁に形成されたカード係止部と、デッキ面付近に位置する前記奥壁に形成されたカード係止部と、前記カード保持部に取り付けられるカードに穿設された透孔に挿入される、前記奥壁に突設された嵌合突起とにより構成されていることを特徴とする合成樹脂製パレット。
【発明の詳細な説明】
【技術分野】
【０００１】
本発明は、荷物の保管や運搬や搬送に使用する合成樹脂製パレットに関するものであり、特に、側面に、種々の情報が蓄積されたカードが保持することができるカード保持部が形成された合成樹脂製パレットに関するものである。
【背景技術】
【０００２】
従来、桁の上端縁と下端縁とに、相対するように、カード保持用のスリットを設けた合成樹脂製パレットが、一例として、引用文献１に開示されている。
【先行技術文献】
【特許文献】
【０００３】
【特許文献１】実公平６−２９０７号公報
【発明の概要】
【発明が解決しようとする課題】
【０００４】
上述した従来の合成樹脂製パレットにおいては、単に、カードの上下端縁を、スリットに挿入して保持したものであるため、カードが外れ易いという問題があった。
【０００５】
また、カードの高さが、低い場合には、カードの上下端縁の一方のスリットへの挿入量が少なく、特に外れ易いし、また、カードの高さが、高い場合には、カードが、外側に湾曲し、合成樹脂製パレットの側面より、突出した状態となり、カードが、損傷したり、外れるという問題があった。
【０００６】
本発明の目的は、上述した従来の合成樹脂製パレットが有する課題を解決することにある。
【課題を解決するための手段】
【０００７】
本発明は、上述した目的を達成するために、２枚のスキッドを溶着することにより製造される合成樹脂製パレットにおいて、一方のスキッドにカード保持部を形成するとともに、前記カード保持部を、奥壁と該奥壁に垂直な相対する側面とからなるカード装着凹部と、前記スキッドの溶着面付近に位置する前記奥壁に形成されたカード係止部と、デッキ面付近に位置する前記奥壁に形成されたカード係止部と、前記カード保持部に取り付けられるカードに穿設された透孔が挿入される、前記奥壁に突設された嵌合突起とにより構成したものである。
【発明の効果】
【０００８】
２枚のスキッドを溶着することにより製造される合成樹脂製パレットにおいて、一方のスキッドにカード保持部を形成するとともに、前記カード保持部を、奥壁と該奥壁に垂直な相対する側面とからなるカード装着凹部と、前記スキッドの溶着面付近に位置する前記奥壁に形成されたカード係止部と、デッキ面付近に位置する前記奥壁に形成されたカード係止部と、前記カード保持部に取り付けられるカードに穿設された透孔が挿入される、前記奥壁に突設された嵌合突起とにより構成したので、カードのカード保持部からの離脱を、確実に防止することができる。
【０００９】
また、一方のスキッドにカード保持部を形成したので、スキッド単体で使用する場合にも、スキッドのカード保持部にカードを取り付けることができる。
【図面の簡単な説明】
【００１０】
【図１】図１は、本発明の合成樹脂製パレットの全体斜視図である。
【図２】図２は、本発明の合成樹脂製パレットを構成するスキッドの部分拡大斜視図である。
【図３】図３は、同じく、本発明の合成樹脂製パレットを構成するスキッドの部分拡大斜視図である。
【図４】図４は、本発明の合成樹脂製パレットの部分拡大斜視図である。
【図５】図５は、本発明の合成樹脂製パレットを構成するカードの斜視図である。
【図６】図６は、本発明の合成樹脂製パレットとカードとの分解斜視図である。
【図７】図７は、本発明の合成樹脂製パレットにカードが取り付けられた状態の一部垂直断面を含む部分拡大斜視図である。
【実施例】
【００１１】
本発明の合成樹脂製パレットＰは、図１に示されているように、２枚の同一形状のスキッドＳを溶着することにより製造される、所謂、溶着パレットであり、スキッドＳを溶着することにより、相対する側部桁ｐ１と該相対する側部桁ｐ１間に位置する中央桁ｐ２とからなる、２つのフォーク挿入口ｐ３を有する、所謂、２方差し合成樹脂製パレットＰが製造されることになる。
【００１２】
以下に、スキッドＳについて説明する。
【００１３】
スキッドＳの合成樹脂製パレットＰの側部桁ｐ１を形成する、フォーク挿入口ｐ３に略平行な外側面（フォーク挿入口ｐ３を形成しない側面）ｓ１の両端部付近のうち、一方の端部付近には、後述するカードの上端部及び両側部を保持するためのカード保持部Ｈが形成されており、また、もう一方の端面付近には、正面形状が、カード保持部Ｈと略同じの凹部Ｎが形成されている。
【００１４】
次に、図２を用いて、カード保持部Ｈについて説明する。
【００１５】
カード保持部Ｈには、平坦な奥壁１ａ１と該奥壁１ａ１に垂直な相対する側面１ａ２とからなる、スキッドＳの全高に亘たって延在する、上下方向が開放されたカード装着凹部１ａが形成されている。
【００１６】
平坦な奥壁１ａ１の合成樹脂製パレットＰのでデッキ面ｐ４付近に位置する奥壁１ａ１には、デッキ面ｐ４に沿って、複数個のカード係止部２が形成されており、また、スキッドＳの溶着面ｓ２付近に位置する奥壁１ａ１には、溶着面ｓ２に沿って、複数個のカード係止部２が形成されている。図２には、それぞれ、２個ずつのカード係止部２が形成されている例が示されている。
【００１７】
上述したカード係止部２は、カード装着凹部１ａを形成する奥壁１ａ１に対して垂直な水平辺２ａと、該水平辺２ａの先端から、奥壁１ａ１に平行に延在する係止片２ｂとから構成されている。そして、デッキ面ｐ４に沿って形成されたカード係止部２の係止片２ｂと、溶着面ｓ２に沿って形成されたカード係止部２の係止片２ｂとは、互いに、接近する方向に延在するように構成されている。
【００１８】
上述したように構成することにより、スキッドＳの溶着面ｓ２付近に位置するカード係止部２には、奥壁１ａ１とカード係止部２の水平辺２ａと係止片２ｂとにより、両側及び下方が開放された上部カード挿通溝Ｄ１が形成されており、また、合成樹脂製パレットＰのでデッキ面ｐ４付近に位置するカード係止部２には、奥壁１ａ１とカード係止部２の水平辺２ａと係止片２ｂとにより、両側及び上方が開放された下部カード挿通溝Ｄ２が形成されている。
【００１９】
また、カード装着凹部１ａを形成する相対する側面１ａ２のうち、一方の側面１ａ２側に位置する奥壁１ａ１には、適当数の嵌合突起３が突設されている。図２には、嵌合突起３が、同一垂線に沿って、２個突設されている例が示されている。
【００２０】
更に、相対する側面１ａ２とスキッドＳの溶着面ｓ２とにより形成される角部、及び、奥壁１ａ１とスキッドＳの溶着面ｓ２とにより形成される角部を、切り欠くことにより、段差部４が形成されている。この段差部４は、２枚の同一形状のスキッドＳの溶着面ｓ２を溶着する際に発生する溶融樹脂が、カード装着凹部１ａの奥壁１ａ１や側面１ａ２を越えないように、後述する溶融樹脂の溜まり溝の半分を形成するものである。
【００２１】
次に、もう一方の端面付近に形成された凹部Ｎについて説明する。
【００２２】
凹部Ｎは、平坦な奥壁５ａ１と該奥壁５ａ１に垂直な相対する側面５ａ２とからなり、スキッドＳの溶着面ｓ２側が開放されている。また、相対する側面５ａ２とスキッドＳの溶着面ｓ２とにより形成される角部、及び、奥壁５ａ１とスキッドＳの溶着面ｓ２とにより形成される角部を、切り欠くことにより、上述した上述した段差部４と同様に段差部６が形成されている。
【００２３】
上述した構成を有する２枚のスキッドＳを、一方のスキッドＳに形成されたカード保持部Ｈともう一方のスキッドＳに形成された凹部Ｎが対向するように、且つ、一方のスキッドＳに形成された段差部４とともう一方のスキッドＳに形成された段差部６とが対向するように、互いの溶着面ｓ２することにより、合成樹脂製パレットＰが製造されることになる。このようにして、製造された合成樹脂製パレットＰの側部桁ｐ１の両端部付近には、それぞれ、カード保持部Ｈが形成されることになる。なお、図１に示されているように、左側に位置するカード保持部Ｈは、凹部Ｎの上方に位置し、また、右側に位置するカード保持部Ｈは、凹部Ｎの下方に位置することになる。
【００２４】
上述したように２枚のスキッドＳの溶着面ｓ２を溶着することにより、カード保持部Ｈが形成されているスキッドＳの溶着面ｓ２側に形成された段差部４と、凹部Ｎが形成されているスキッドＳの溶着面ｓ２側に形成された段差部６とにより、溶融樹脂の溜まり溝７が形成されることになり、この溜まり溝７に、溶着作業の際に発生する溶融樹脂が溜まることになる。
【００２５】
次に、図５を用いて、カード保持部Ｈに取り付けられるカードＣについて説明する。
【００２６】
カードＣは、水平な上辺ｃ１と、水平な下辺ｃ２と、相対する垂直辺ｃ３とからなる横長の略長方形状で、弾性変形可能な合成樹脂製の板材で形成されている。また、カードＣの相対する垂直辺ｃ３のうちの一方の垂直辺ｃ３付近には、垂直辺ｃ３に沿って、適当数の透孔ｃ４が形成されている。図２には、透孔ｃ４が、同一垂線に沿って、２個形成されている例が示されている。この透孔ｃ４には、カードＣが、カード保持部Ｈに取り付けられた際には、カード保持部Ｈのカード装着凹部１ａを形成する奥壁１ａ１に突設された嵌合突起３が、挿入されるように構成されている。
【００２７】
カードＣを、カード保持部Ｈに取り付けるには、図６に示されているように、カード保持部Ｈの側方にカードＣを配置する。この際、カードＣは、相対する垂直辺ｃ３のうち、透孔ｃ４から遠い方の垂直辺ｃ３が、カード保持部Ｈ側に位置するように配置する。
【００２８】
次いで、カードＣを、カード保持部Ｈの奥壁１ａ１に沿って、カード保持部Ｈ方向に移動させて、カードＣの水平な上辺ｃ１付近を、上方に位置するカード係止部２の上部カード挿通溝Ｄ１に挿入し、また、カードＣの水平な下辺ｃ２付近を、下方に位置するカード係止部２の下部カード挿通溝Ｄ２に挿入する。その後、更に、カードＣを移動させることにより、カードＣの移動方向先端に位置する垂直辺ｃ３、即ち、透孔ｃ４から遠い方の垂直辺ｃ３が、カード装着凹部１ａを形成する一方の側面１ａ２に当接或いは側面１ａ２に近接することになるが、この時点で、カードＣに穿設された透孔ｃ４に、カード保持部Ｈのカード装着凹部１ａを形成する奥壁１ａ１に突設された嵌合突起３が、挿入されるように構成されており、且つ、カードＣの全体が、カード保持部Ｈ内に装着され、透孔ｃ４に近い方の垂直辺ｃ３が、カード装着凹部１ａを形成するもう一方の側面１ａ２に当接或いは側面１ａ２に近接するように構成されている。このようにして、カードＣが、カード保持部Ｈに取り付けられることになる。
【００２９】
上述したように、２枚のスキッドＳを溶着することにより製造された合成樹脂製パレットＰの一方のスキッドＳに、カード保持部Ｈが形成されているので、従来の合成樹脂製パレットの高さと略同じ高さに形成されたカード保持部に比べて、カードＣの高さを、略半分にすることができるので、カードＣの外側への湾曲を抑制することができ、従って、カードＣが、カード保持部Ｈから外れたり、損傷するようなことを防止することができる。
【００３０】
また、カード保持部Ｈが、一方のスキッドＳに形成されているので、スキッドＳのみで、パレットとして使用する場合でも、スキッドＳにカードＣを取り付けて使用することができる。
【００３１】
更に、カード保持部Ｈには、雨や洗浄液が溜まるような凹部が形成されていないので、合成樹脂製パレットＰの洗浄性を高めることができる。
【符号の説明】
【００３２】
Ｃ・・・・・・・・・・・カード
ｃ４・・・・・・・・・・透孔
Ｈ・・・・・・・・・・・カード保持部
Ｓ・・・・・・・・・・・スキッド
２・・・・・・・・・・・カード係止部
３・・・・・・・・・・・嵌合突起
【図１】
2012006619.tif 000003
【図２】
2012006619.tif 000004
【図３】
2012006619.tif 000005
【図４】
2012006619.tif 000006
【図５】
2012006619.tif 000007
【図６】
2012006619.tif 000008
【図７】
2012006619.tif 000009